(57)【要約】【課題】  外部入力の切換に際してその操作回数の低減を可能にしたテレビ受信機及び電子機器を提供する。【解決手段】  テレビ放送の映像／音声信号からなる内部入力が供給されるとともに、外部接続機器３０の映像／音声信号からなる複数の外部入力が外部入力端子２４ａ〜２４ｃを介して供給され、リモコン１１からの入力切換信号に基づいて何れか１つの入力を選択して映像音声処理部１９に出力する入力選択部１６を備える。この入力選択部１６は、複数の外部入力の内の１つを選択し、視聴した時間が所定の時間を超えると、当該外部入力に関する情報（例えばビデオ１、ビデオ２…）を最終視聴入力として保持させ、内部入力が選択された後に、入力切換信号が入力すると、最終視聴入力に対応した外部入力を選択する。【選択図】        図１
2007027975.tif 000002
【特許請求の範囲】
【請求項１】
入力切換信号を含む各種の操作信号を入力する操作部と、
テレビ放送の映像／音声信号からなる内部入力が供給されるとともに、外部接続機器からの映像／音声信号からなる複数の外部入力が外部入力端子を介して供給され、前記操作部の入力切換信号に基づいて何れか１つの入力を選択して出力する入力選択部とを備え、
前記入力選択部は、前記複数の外部入力の内の１つを選択し、視聴した時間が所定の時間を超えると、当該外部入力に関する情報を最終視聴入力として保持し又は保持させ、前記内部入力が選択された後に、前記入力切換信号が入力すると、前記最終視聴入力に対応した外部入力を選択することを特徴とするテレビ受信機。
【請求項２】
映像を表示する表示手段と、
音声を出力する音声出力手段と、
前記入力選択部からの映像信号及び音声信号に所定の処理を施して前記表示手段及び音声出力手段にそれぞれ出力する映像音声処理部と
を備えたことを特徴とする請求項１記載のテレビ受信機。
【請求項３】
前記最終視聴入力としての前記外部入力に関する情報が保持される最終視聴入力保持部を備え、
前記入力選択部は、前記外部入力の内の１つを選択し、視聴した時間が所定の時間を超えると、当該外部入力に関する情報を前記最終視聴入力として最終視聴入力保持部に保持させることを特徴とする請求項１又は２記載のテレビ受信機。
【請求項４】
前記外部入力の内の１つが前記入力選択部により選択され、視聴された時間を計測するタイマを備え、
前記入力選択部は、前記入力切換信号により前記外部入力を選択する度に前記タイマの計時を開始させて、当該外部入力の視聴時間を計測させることを特徴とする請求項１〜３の何れかに記載のテレビ受信機。
【請求項５】
前記入力選択部は、前記最終視聴入力保持部に前記最終視聴入力が保持されている状態で、且つ、前記内部入力が選択されている状態において、前記入力切換信号が入力すると、前記最終視聴入力保持部に保持されている最終視聴入力に対応した外部入力を選択することを特徴とする請求項３又は４記載のテレビ受信機。
【請求項６】
前記入力選択部は、前記最終視聴入力保持部に保持されている前記最終視聴入力に対応した外部入力が選択されている状態で、前記入力切換信号が入力すると、前記外部入力及び前記内部入力を所定の順序で切り換えることを特徴とする請求項５記載のテレビ受信機。
【請求項７】
入力切換信号を含む各種の操作信号を入力する操作部と、
テレビ放送の映像／音声信号からなる内部入力が供給されるとともに、外部接続機器からの映像／音声信号からなる複数の外部入力が外部入力端子を介して供給され、前記操作部の入力切換信号に基づいて何れか１つの入力を選択して出力する入力選択部とを備え、
前記入力選択部は、前記複数の外部入力の内の１つを選択し、視聴した時間が所定の時間を超えると、当該外部入力に関する情報を最終視聴入力として保持し又は保持させ、前記内部入力が選択された後に、前記入力切換信号が入力すると、前記最終視聴入力に対応した外部入力を選択することを特徴とする電子機器。
【発明の詳細な説明】
【技術分野】
【０００１】
本発明は、外部接続機器から映像ソース等を取り込むための外部入力端子を複数個備えたテレビ受信機及び電子機器に関し、特にその外部入力の切換に関する。
【背景技術】
【０００２】
テレビ受信機は、ＤＶＤレコーダー、ＢＳチューナー等の外部接続機器の増加に従って、外部入力端子の個数が増えている。このため、従来の入力切換キーで順次入力を選択していく方法では、目的の入力にたどり着くための操作回数が多くなる。また、入力切換キーを押し過ぎてしまった場合には、もう一周キーを押さなければならないようなこともある。このようなことから、例えば使用しない端子を予め設定しておいて、選択時にスキップする入力切換方式が提案されている（例えば特許文献１参照）。
【特許文献１】特開平８−３２１９９７号公報
【発明の開示】
【発明が解決しようとする課題】
【０００３】
しかし、上記の特許文献１によって提案されている入力切換方式においては、外部入力端子に接続されている外部機器が多い場合にはスキップする端子が少なく、結果として入力切換キーを押す回数が減らない、という問題点があった。
【０００４】
本発明は、このような問題点を解決するためになされたものであり、外部入力の切換に際してその操作回数の低減を可能にしたテレビ受信機及び電子機器を提供することを目的とする。
【課題を解決するための手段】
【０００５】
本発明に係るテレビ受信機は、入力切換信号を含む各種の操作信号を入力する操作部と、テレビ放送の映像／音声信号からなる内部入力が供給されるとともに、外部接続機器の映像／音声信号からなる複数の外部入力が外部入力端子を介して供給され、前記操作部の入力切換信号に基づいて何れか１つの入力を選択して出力する入力選択部とを備え、前記入力選択部は、前記複数の外部入力の内の１つを選択し、視聴した時間が所定の時間を超えると、当該外部入力に関する情報（例えばビデオ１、ビデオ２…）を最終視聴入力として保持させ、前記内部入力が選択された後に、前記入力切換信号が入力すると、前記最終視聴入力に対応した外部入力を選択する。本発明においては、外部入力を選択したときにその視聴時間が所定の時間を超えると、視聴者がその外部入力に興味があるものとし、内部入力を選択した後に外部入力を選択する場合にはその最後に所定時間以上視聴した外部入力を最初に選択する。このような選択処理をすることにより、外部入力の切換に際して操作回数を低減させることできる。
【０００６】
本発明に係るテレビ受信機は、映像を表示する表示手段と、音声を出力する音声出力手段と、前記入力選択部からの映像信号及び音声信号に所定の処理を施して前記表示手段及び音声出力手段にそれぞれ出力する映像音声処理部とを備えたものである。
【０００７】
本発明に係るテレビ受信機は、前記最終視聴入力としての前記外部入力に関する情報が保持される最終視聴入力保持部を備え、前記入力選択部は、前記外部入力の内の１つを選択し、視聴した時間が所定の時間を超えると、当該外部入力に関する情報を前記最終視聴入力として最終視聴入力保持部に保持させる。本発明においては、最終視聴入力保持部に最終視聴入力としての外部入力に関する情報を保持させることにより、内部入力を選択した後に外部入力を選択する場合には、最終視聴入力保持部に保持された最終視聴入力に対応した外部入力を選択する。
【０００８】
本発明に係るテレビ受信機は、前記外部入力の内の１つが前記入力選択部により選択された時間を計測するタイマを備え、前記入力選択部は、前記入力切換信号により前記外部入力を選択する度にタイマの計時を開始させて、当該外部入力の視聴時間を計測させる。本発明においては、外部入力の内の１つが入力選択部により選択され、視聴された時間をタイマにより計測し、その計測時間が所定の時間を超えたかどうかを判断するようにしている。
【０００９】
本発明に係るテレビ受信機において、前記入力選択部は、前記最終視聴入力保持部に前記最終視聴入力が保持されている状態で、且つ、前記内部入力が選択されている状態において、前記入力切換信号が入力すると、前記最終視聴入力保持部に保持されている最終視聴入力に対応した外部入力を選択する。本発明においては、テレビ放送が選択されている状態から外部入力を選択する場合には、最終視聴入力に対応した外部入力を最初に選択するようにしており、最終視聴入力は視聴者が興味があるものとして把握されているので、入力切換の操作回数の低減が可能になっている。
【００１０】
本発明に係るテレビ受信機において、前記入力選択部は、前記最終視聴入力保持部に保持されている前記最終視聴入力に対応した外部入力が選択されている状態で、前記入力切換信号が入力すると、前記外部入力及び前記内部入力を所定の順序で切り換える。
【００１１】
本発明に係る電子機器は、入力切換信号を含む各種の操作信号を入力する操作部と、  テレビ放送の映像／音声信号からなる内部入力が供給されるとともに、外部接続機器からの映像／音声信号からなる複数の外部入力が外部入力端子を介して供給され、前記操作部の入力切換信号に基づいて何れか１つの入力を選択して出力する入力選択部とを備え、前記入力選択部は、前記複数の外部入力の内の１つを選択し、視聴した時間が所定の時間を超えると、当該外部入力に関する情報を最終視聴入力として保持し又は保持させ、前記内部入力が選択された後に、前記入力切換信号が入力すると、前記最終視聴入力に対応した外部入力を選択する。
【発明を実施するための最良の形態】
【００１２】
実施形態１．
図１は本発明の実施形態１に係るテレビ受信機の構成を示すブロック図でる。このテレビ受信機１０は、リモコン１１、キー入力処理部１２、選局処理部１３、プリセット情報保持部１４、チューナー１５、入力選択部１６、最終視聴入力保持部１７、タイマ１８、映像音声処理部１９、映像出力部２０、表示装置２１、音声出力部２２及びスピーカー２３から構成されている。テレビ受信機１０の入力選択部１６には外部入力端子２４ａ〜２４ｃを介して外部接続機器（例えばビデオプレーヤー、ＤＶＤレコーダー、ＢＳチューナー等）３０が接続されており、それらの映像信号及び音声信号が外部入力として供給される。なお、リモコン１１は本発明の操作部を構成し、映像出力部２０及び表示装置２１は本発明の表示手段を構成し、音声出力部２２及びスピーカー２３は本発明の音声出力手段を構成しているものとする。
【００１３】
リモコン１１は、選局キー（ダイレクト選局キー、チャンネルアップ・ダウンキー）や入力切換キー等の各種のキーを備えており、視聴者によって操作される。リモコン１１による操作信号はキー入力処理部１２に入力し、キー入力処理部１２において解析されて選局処理部１３に出力する。プリセット情報保持部１４には例えばダイレクト選局キー（数値キー）と受信チャンネルとの関係がプリセット情報として保持されており、選局処理部１３はキー入力処理部１２からの操作信号に基づいて選局情報を生成し、その選局情報に対応した受信チャンネル信号をプリセット情報保持部１４から読み出してチューナー１５に出力する。チューナー１５ではその受信チャンネル信号に対応したチャンネルが選局される。すなわち、チューナー１５は、アンテナ（図示せず）からの放送信号を受信し、選局処理部１３からの受信チャンネル信号に基づいて選局したチャンネルの映像／音声信号を内部入力として入力選択部１６へ供給する。
【００１４】
入力選択部１６にはチューナー１５からの映像／音声信号の他に、外部入力端子２４ａ〜２４ｃを介して外部接続機器３０からの映像／音声信号が外部入力として供給される。入力選択部１６は、リモコン１１の入力切換キーの操作信号（本発明の入力切換信号に相当する）がキー入力処理部１２を介して入力すると、入力選択を適宜行って、チューナー１５又は外部入力端子２４ａ〜２４ｃの何れかの映像／音声信号を選択して映像音声処理部１９に出力する。この入力選択の処理の詳細については後述の図３及び図４に基づいて詳細に説明する。映像音声処理部１９は、ビデオデコーダー、オーディオデコーダー、検波回路等を内蔵しており、入力選択部１６を介して入力してきた映像／音声信号の種類に応じた各種の処理を行って、映像信号を映像出力部２０に出力し、音声信号を音声出力部２２に出力する。映像出力部２０は、映像音声処理部１９からの映像信号に基づいて表示装置２１に表示させる映像信号を生成するものであり、例えば表示装置２１が液晶パネルからなる場合には、スケーラ−／ＯＳＤ（オンスクリーンデスプレイ）処理回路、フレームメモリ等を内蔵し、例えばフレームメモリにフレーム毎にフレーム画像を生成し、そのフレーム画像（映像信号）を読み出してＤ／Ａ変換を行い、例えばコンポジット映像信号に変換して表示装置２１に出力し、表示装置２１はその映像信号によるＴＶ映像等を表示する。また、音声出力部２２は、映像音声処理部１９からの音声信号をＤ／Ａ変換し、例えば右（Ｒ）音のアナログ信号及び左（Ｌ）音のアナログ信号を生成して増幅して、スピーカー２３に出力することでスピーカー２３から音声が得られる。
【００１５】
タイマ１８は外部入力が選択されたときにその視聴時間を計測するものであり、入力選択部１６の指令に従って計測を開始する。また、最終視聴入力保持部１７はタイマ１８による計測時間（視聴時間）が所定の時間を超えたときに、そのときの外部入力に関する情報（例えば後述のビデオ１、ビデオ２等）が保持されるものである。ここで、チューナー１５からの内部入力を「テレビ」とし、外部入力端子２４ａ〜２４ｃからの外部入力をビデオ１、ビデオ２、ビデオ３と称するものとする。そして、入力選択部１６は、定常的には、入力切換キーの操作信号が入力する度に、テレビ−ビデオ１−ビデオ２−ビデオ３−テレビ−ビデオ１…という順序でサイクリックに切り換えるものとする。
【００１６】
図２はリモコン１１の正面図である。リモコン１１には各種のキーが取り付けられており、図示のように、例えば数値キー（ダイレクト選局キー）４１、チャンネルアップ・ダウンキー４２，４３、ボリュームアップ・ダウンキー４４，４５、方向キー（矢印キー）４６、エンターキー４７、入力切換キー４８等の各種のキーが設けられている。これらのキー４１〜４８は従来のキーと同一であるが、そのキー処理により後述のような機能が発揮される。
【００１７】
図３は図１の入力選択部１６の処理を示したフローチャートである。視聴者がリモコン１１の入力切換キー４８を操作すると、入力選択部１６は、キー入力処理部１２を介してその操作信号を取り込んでこのフローチャートの処理を開始し（Ｓ１１）、現在テレビを選択しているどうか、即ちチューナー１５からの映像／音声信号を選択しているどうかを判断する（Ｓ１２）。現在テレビを選択していると判断した場合には、最終視聴入力保持部１７に最終視聴入力が保持されているかどうか（有るかどうか）を判断する（Ｓ１３）。この判断に際して、初期段階では無いと判断されることになり、「ビデオ１」に切り換える（Ｓ１４）。「ビデオ１」に切り換えられたことにより、外部入力端子２４ａに接続された外部接続機器３０からの映像／音声信号が映像音声処理部１９に供給されて、表示装置２１にはその映像信号に対応した映像が表示され、スピーカー２３からは音声信号に対応した音声が得られる。入力選択部１６は、タイマ１８の計時を開始させ（Ｓ１５）、その計測時間が所定時間を経過したかどうかを判断し（Ｓ１６）、その計測時間が所定時間を経過していない場合には、入力切換キー４８の操作信号が入力したかどうかを判断し（Ｓ１７）、入力切換キー４８の操作信号が入力していない場合には上記の処理（Ｓ１６）に戻る。視聴者が例えば「ビデオ１」の映像／音声を所定時間視聴し、タイマ１８が所定の時間以上の時間を計測すると、入力選択部１６はタイマ１８の計測時間が所定時間を経過したと判断し、最終視聴入力保持部１７に「ビデオ１」を最終視聴入力として保持させる（２度目以降においては最終視聴入力を更新することになる。）（Ｓ１８）。そして、入力選択部１６は、入力切換キー４８の操作信号が入力した場合及び上記の処理（Ｓ１８）が終了した後に、タイマ１８をリセットし（Ｓ１９）、次のキー入力処理へ移行する（Ｓ２０）。
【００１８】
また、入力選択部１６は、上記の判断（Ｓ１２）において、現在テレビを視聴していないという判断をした場合においては、所定の順次の入力に切り換える（Ｓ２１）。例えば現在ビデオ１であればビデオ２に、現在ビデオ２であればビデオ３に、現在ビデオ３であればテレビに切り換える。そして、切換後の入力がテレビであるかどうかを判断し（Ｓ２２）、テレビでない場合には、タイマ１８の時間計測を開始させる等の上記の処理（Ｓ１５〜Ｓ１９）に移行する。切換後の入力がテレビであった場合には、次のキー入力処理へ移行する（Ｓ２０）。
【００１９】
また、入力選択部１６は、上記の判断（Ｓ１３）において、最終視聴入力保持部１７に最終視聴入力が保持されている（有る）という判断をした場合には、最終視聴入力の外部入力に切り換えて（Ｓ２３）、次のキー入力処理へ移行する（Ｓ２０）。このように、テレビを視聴している状態で、最終視聴入力保持部１７に最終視聴入力が保持されているときに、入力切換キー４８の操作信号が入力すると、最後に所定時間以上視聴した外部入力が選択されてその映像／音声が視聴できるようになる。
【００２０】
図３は上記の入力切換の遷移を示した説明図である。例えばテレビを視聴している段階で（図３（ａ））、入力切換キー４８が操作されると、最終視聴入力が保持されていない場合にはビデオ１に切り換える（図３（ｂ）、Ｓ１１〜Ｓ１４）。それから例えば１分以内に入力切換キー４８が操作されると、ビデオ２に切り換える（図３（ｃ）、Ｓ１１、Ｓ１２、Ｓ２１）。ビデオ２について１分以上視聴すると、最終視聴入力保持部１７にビデオ２が最終視聴入力として保持される（Ｓ２２、Ｓ１５〜Ｓ１８）。
【００２１】
ビデオ２の映像／音声を視聴している状態で入力切換キー４８が操作されると、次に外部入力であるビデオ３に切り換わる（図３（ｄ）、Ｓ１１，Ｓ１２，Ｓ２１）。そして、ビデオ３の映像／音声の視聴が１分以内の状態で入力切換キー４８が操作されると、最初の入力であるテレビに切り換わる（図３（ｅ）、Ｓ１１，Ｓ１２，Ｓ２１，Ｓ２２）。そして、テレビを視聴している状態で入力切換キー４８が操作されると、ビデオ１をスキップして、最後に１分以上視聴した外部入力であるビデオ２に切り換わる（図３（ｆ）、Ｓ１１〜Ｓ１３、Ｓ２３）。このようにビデオ１をスキップしたことにより、入力切換キー４８の操作回数を低減させることができる。更に、ビデオ２の映像／音声を視聴している状態で入力切換キー４８が操作されると、ビデオ３に切り換わる（図３（ｇ）、Ｓ１１，Ｓ１２，Ｓ２１）。
【００２２】
以上のように本実施形態１においては、外部入力（ビデオ１〜３）を選択したときにその視聴時間が所定の時間を超えると、視聴者がその外部入力に興味があるものとして、その外部入力を最終視聴入力保持部１７に最終視聴入力として保持し、内部入力（テレビ）を選択した後に外部入力を選択する場合にはその外部入力（最終視聴入力）を最初に選択するようにしたので、図３にも示されるように、外部入力の切換に際してその操作回数を低減させることができる。
【００２３】
実施形態２．
なお、上記の実施形態１においては外部入力に関する情報を便宜上ビデオ１〜ビデオ３と称したが、テレビ受信機１０の外部入力端子２４ａ〜２４ｃに接続される外部接続機器３０としてはビデオプレーヤー、ＤＶＤレコーダー、ＢＳチューナーだけでなく映像ソースが提供できるものであれば他の外部接続機器にも同様に適用される。また、上記の実施形態１においては外部入力端子が３個の例について説明したが、本発明はその個数に限定されず、任意の個数のものに対応することができる。また、最終視聴入力を設定する際の視聴時間が１分の例について説明したが、この時間についても任意に設定できる。
【００２４】
また、上記の実施形態１においてはテレビ受信機の例について説明したが、例えば図１のテレビ受信機１０の内、例えばリモコン１１、キー入力処理部１２、選局処理部１３、プリセット情報保存部１４、チューナー１５、入力選択部１６、及び最終視聴入力保持部１７及びタイマ１８をデジタルチューナー等の電子機器に適用することにより同様な機能が得られる。
【図面の簡単な説明】
【００２５】
【図１】本発明の実施形態１に係るテレビ受信機の構成を示すブロック図。
【図２】リモコンの正面図。
【図３】入力選択部の処理を示したフローチャート。
【図４】入力切換の遷移を示した説明図。
【符号の説明】
【００２６】
１０ テレビ受信機、 １１ リモコン、１２ キー入力処理部、１３ 選局処理部、１４ チューナー、１４ プリセット情報保持部、１５ チューナー、１６ 入力選択部、１７ 最終視聴入力保持部、１８ タイマ、１９ 映像音声処理部、２０ 映像出力部、２１ 表示装置、２２ 音声出力部、２３ スピーカー。
【図１】
2007027975.tif 000003
【図２】
2007027975.tif 000004
【図３】
2007027975.tif 000005
【図４】
2007027975.tif 000006